(57)【特許請求の範囲】
【請求項１】
重なり合う熱可塑性合成樹脂フィルムによって形成されており、互いに平行して縦方向へ延びる両側縁部と、これら両側縁部に交差して互いに平行して横方向へ延びる両端縁部とを有し、前記両端縁部の少なくとも一方には重なり合う前記フィルムを溶着させることによりシールラインが形成されている穀類封入用の通気性の袋であって、
前記シールラインが前記横方向へ延びる内側シールラインと外側シールラインとの少なくとも二条を含み、
前記内側シールラインは、前記縦方向において前記外側シールラインよりも前記袋の内側寄りにあり、前記横方向において間欠的に形成されている内側溶着部と、隣り合う前記内側溶着部どうしの間に形成されている内側非溶着部とを含み、前記内側非溶着部が、前記袋の内外の通気を可能にしかつ封入した前記穀類の通過を阻止する第１内側非溶着部と、前記通気を可能にしかつ前記横方向に並ぶ複数粒の前記穀類の前記通過を可能にする第２内側非溶着部とを含み、前記内側溶着部は、前記横方向において、前記第１内側非溶着部と交互に並ぶ第１内側溶着部と、前記第２内側非溶着部の両側に形成されている第２内側溶着部とを含み、前記第２内側非溶着部を介して向かい合う前記第２内側溶着部どうしは、互いに対向する部位の周縁部が相手方に対して凸となる曲線を画いていて、前記縦方向においては前記外側シールラインに接近するように前記第１内側溶着部よりも長く延びており、
前記外側シールラインは、前記横方向において間欠的に形成されている外側溶着部と、隣り合う前記外側溶着部どうしの間に形成されている外側非溶着部とを含み、前記外側非溶着部が前記袋の内外の通気を可能にしかつ前記第２内側非溶着部を通過して前記外側シールラインへ向かう前記穀類の通過を阻止可能に形成されており、
前記縦方向における前記内側シールラインと前記外側シールラインとの離間寸法が前記第２内側非溶着部を通過した前記複数粒の穀類の進入を可能とするように形成されていることを特徴とする前記袋。
【請求項２】
前記穀類が米であり、前記第２内側非溶着部においての前記横方向の寸法が少なくとも２０ｍｍである請求項１記載の袋。
【請求項３】
前記穀類が米であり、前記横方向において、前記内側シールラインの前記第１内側溶着部の寸法が１〜１０ｍｍの範囲にあり、前記第１内側非溶着部の寸法が０．５〜５ｍｍの範囲にあり、前記第２内側非溶着部の寸法が２０〜８０ｍｍの範囲にあり、前記外側シールラインの前記外側非溶着部の寸法が０．５〜５ｍｍの範囲にある請求項１または２記載の袋。
【請求項４】
前記穀類が米であり、前記内側シールラインの前記第１内側溶着部と前記外側シールラインの前記外側溶着部との前記離間寸法が５〜３０ｍｍの範囲にある請求項１〜３のいずれかに記載の袋。
【請求項５】
前記第２内側溶着部は、前記内側シールラインと前記外側シールラインとの間への前記穀類の進入を阻止し得るように前記外側シールラインに接近している請求項１〜４のいずれかに記載の袋。
【請求項６】
前記縦方向における前記外側シールラインの外側に前記一方の端縁部を把手として使用するための指挿入部が形成され、指挿入部を補強するシート片が重なり合う前記フィルムの一方に対して前記外側シールラインにおいて接合するとともに前記縦方向において前記指挿入部の外側に形成されている追加のシールラインにおいても接合している請求項１〜５のいずれかに記載の袋。
【請求項７】
前記第２内側溶着部が楕円形ないし長円形に形成されている請求項１〜６のいずれかに記載の袋。
【発明の詳細な説明】
【技術分野】
【０００１】
この発明は、米や麦等の穀類を封入することのできる通気性の袋に関する。
【背景技術】
【０００２】
従来、米や麦、とうもろこし等の穀類を熱可塑性合成樹脂フィルム製の袋に封入して流通させることはよく知られている。また、その袋として、通気性のシールラインを有するものは従来公知である。例えば、特開平１０−１２９６８０号公報（特許文献１）に開示された穀類封入用の袋では、重なり合うフィルムどうしを溶着することにより両側縁間に延びる、換言すると袋の横方向へ延びる互いに平行な二条のシールラインが形成されている。シールラインの間には、袋の縦方向へ延びるシールラインが介在している。二条のシールラインそれぞれには、横方向の寸法が３〜２０ｍｍの非溶着部位が含まれていて、非溶着部位と非溶着部位との間には、袋の縦方向へ延びる通気路が形成されている。実用新案登録第３１３２３６５号公報（特許文献２）に開示された吊り下げ穴を設けた米袋は、袋の上部に内外二条のシールラインを有し、シールラインどうしの間には吊り下げ穴が形成されている。それぞれのシールラインは、多数の溶着点および／または短い溶着線を袋の幅方向へ間欠的に並べることによって形成されている。この袋では、溶着点の間隔を部分的に大きくすることによって通気路が形成されているが、その間隔は米の漏れを防止するために６．５ｍｍ以下に抑えられている。
【特許文献１】特開平１０−１２９６８０号公報
【特許文献２】実用新案登録第３１３２３６５号公報
【発明の開示】
【発明が解決しようとする課題】
【０００３】
前記従来の袋では、シールラインに形成された通気路からの米粒の漏れを防ぐことができるように、通気路の幅を狭くしたり、通気路の幅が実質的な意味において狭くなるように通気路の近傍に溶着部位を追加したりしている。ところが、これらの袋では、米を封入した後の取り扱い過程において、例えばパレットに積み上げたり棚に並べたりする過程において、袋の端部がシールラインに沿って折れ曲がり、通気路が実質的には塞がって、袋内部の空気を排出することができなくなるという場合がある。そうした場合の袋は、積み上げた状態が不安定なものであるから、好ましいものではない。
【０００４】
そこで、この発明は、穀類を封入した後の袋の取り扱い過程において袋の通気性を損なうことがないように、従来の袋に対して改良を施すことを課題にしている。
【課題を解決するための手段】
【０００５】
前記課題を解決するために、この発明が対象とするのは、重なり合う熱可塑性合成樹脂フィルムによって形成されており、互いに平行して縦方向へ延びる両側縁部と、これら両側縁部に交差して互いに平行して横方向へ延びる両端縁部とを有し、前記両端縁部の少なくとも一方には重なり合う前記フィルムを溶着させることによりシールラインが形成されている穀類封入用の通気性の袋である。
【０００６】
かかる袋において、この発明が特徴とするところは、以下のとおりである。前記シールラインは、前記横方向へ延びる内側シールラインと外側シールラインとの少なくとも二条を含んでいる。前記内側シールラインは、前記縦方向において前記外側シールラインよりも前記袋の内側寄りにあり、前記横方向において間欠的に形成されている内側溶着部と、隣り合う前記内側溶着部どうしの間に形成されている内側非溶着部とを含んでいる。前記内側非溶着部は、前記袋の内外の通気を可能にしかつ封入した前記穀類の通過を阻止する第１内側非溶着部と、前記通気を可能にしかつ前記横方向に並ぶ複数粒の前記穀類の前記通過を可能にする第２内側非溶着部とを含んでいる。前記内側溶着部は、前記横方向において、前記第１内側非溶着部と交互に並ぶ第１内側溶着部と、前記第２内側非溶着部の両側に形成されている第２内側溶着部とを含み、前記第２内側非溶着部を介して向かい合う前記第２内側溶着部どうしは、互いに対向する部位の周縁部が相手方に対して凸となる曲線を画いていて、前記縦方向においては前記外側シールラインに接近するように前記第１内側溶着部よりも長く延びている。前記外側シールラインは、前記横方向において間欠的に形成されている外側溶着部と、隣り合う前記外側溶着部どうしの間に形成されている外側非溶着部とを含んでいる。前記外側非溶着部は、前記袋の内外の通気を可能にしかつ前記第２内側非溶着部を通過して前記外側シールラインへ向かう前記穀類の通過を阻止可能に形成されている。前記縦方向における前記内側シールラインと前記外側シールラインとの離間寸法は、前記第２内側非溶着部を通過した前記複数粒の穀類の進入を可能とするように形成されている。
【０００７】
この発明の実施形態の一つにおいて、前記穀類が米であり、前記第２内側非溶着部においての前記横方向の寸法が少なくとも２０ｍｍである。
【０００８】
この発明の実施形態の他の一つにおいて、前記穀類が米であり、前記横方向において、前記内側シールラインの前記第１内側溶着部の寸法が１〜１０ｍｍの範囲にあり、前記第１内側非溶着部の寸法が０．５〜５ｍｍの範囲にあり、前記第２内側非溶着部の寸法が２０〜８０ｍｍの範囲にあり、前記外側シールラインの前記外側非溶着部の寸法が０．５〜５ｍｍの範囲にある。
【０００９】
この発明の実施形態の他の一つにおいて、前記穀類が米であり、前記内側シールラインの前記第１内側溶着部と前記外側シールラインの前記外側溶着部との前記離間寸法が５〜３０ｍｍの範囲にある。
【００１０】
この発明の実施形態の他の一つにおいて、前記第２内側溶着部は、前記内側シールラインと前記外側シールラインとの間への前記穀類の進入を阻止し得るように前記外側シールラインに接近している。
【００１１】
この発明の好ましい実施形態の他の一つにおいて、前記縦方向における前記外側シールラインの外側には前記一方の端縁部を把手として使用するための指挿入部が形成され、指挿入部を補強するシート片が重なり合う前記フィルムの一方に対して前記外側シールラインにおいて接合するとともに前記縦方向において前記指挿入部の外側に形成されている追加のシールラインにおいても接合している。
【００１２】
この発明の実施形態のさらに他の一つにおいて、前記第２内側溶着部が楕円形ないし長円形に形成されている。
【発明の効果】
【００１３】
この発明に係る通気性の袋は、少なくとも一方の端縁部に互いに平行して横方向へ延びる通気可能な内側シールラインと外側シールラインとを有する。内側シールラインは、横方向へ並ぶ複数粒の穀類の通過を可能にする第２内側非溶着部を含んでいて、外側シールラインの外側非溶着部はその穀類の通過を阻止可能に形成されている。それゆえ、この袋に封入された穀類は、内側シールラインにおける内側溶着部と第１内側非溶着部とにおいて外側シールラインに向かっての通過を阻止される一方、第２内側非溶着部では複数粒が外側シールラインに向かって通過可能であり、通過した穀類は第２内側非溶着部とその近傍において集団を作ることができる。その集団は、袋の端縁部が内側シールラインに沿って折れ曲がることを阻止するので、この発明に係る通気性の袋では、袋が折れ曲がって袋の通気性が損なわれるという問題を解消する効果が得られる。また、第２内側非溶着部の両側に互いに対向するように形成されている第２内側溶着部の周縁部が相手方の第２溶着部に対して凸となる曲線を画いているから、第２内側非溶着部に穀物の集団が形成されても、その集団によって前記第２内側溶着部の周縁部に作用する力を分散させて、その周縁部において袋が剥がれたり破れたりするという問題の発生を防ぐことができる。
【００１４】
第２内側非溶着部の横方向の寸法が少なくとも２０ｍｍである形態のこの発明では、穀類が米であるときに、前記効果が顕著になる。
【００１５】
袋の横方向において第１内側溶着部の寸法が１〜１０ｍｍ、第１内側非溶着部の寸法が０．５〜５ｍｍ、第２内側非溶着部の寸法が２０〜８０ｍｍ、外側非溶着部の寸法が０．５〜５ｍｍの範囲にある形態のこの発明では、穀類が米であるときに、前記効果が一層顕著になる。
【００１６】
内側シールラインの前記第１内側溶着部と外側シールラインの前記外側溶着部との間隔が５〜３０ｍｍの範囲にある形態のこの発明では、袋の縦方向における寸法を徒に大きくすることなくして前記効果を得ることができる。
【００１８】
この発明におけるその他の効果は、以下の説明において説明される。
【発明を実施するための最良の形態】
【００１９】
添付の図面を参照して、この発明に係る穀類封入用の袋の詳細を説明すると、以下のとおりである。
【００２０】
図１は、穀類として米４０（図３参照）を例にとり、その米４０を封入するために作られた通気性の袋１の部分破断平面図である。
【００２１】
袋１は、ポリエチレン、ポリプロピレン、ポリエステル等の熱溶着可能な熱可塑性合成樹脂フィルムで形成されており、互いに直交する縦方向Ａと横方向Ｂとが双頭矢印で示されている。袋１はまた、チューブ状に形成されたフィルムを平坦な状態で溶着処理することによって作られたものであって、互いに重なり合う前面部分２と後面部分３とを有し、横方向Ｂの両側には縦方向Ａへ延びる両側縁部６，７を有し、縦方向Ａの両端には横方向Ｂへ延びる頂縁部８と底縁部９との両端縁部を有している。袋１の前面部分２と後面部分３とは、両側縁部６，７において連続しており、頂縁部８では袋１の内側寄りである図の下方に形成されている内側シールライン１１と内側シールライン１１よりも袋１の外側寄りである図の上方に形成されていて内側シールライン１１に平行する外側シールライン１２とにおいて溶着し、通気可能に閉じている。底縁部９では、前面部分２と後面部分３とが分離した状態にあり、これら両部分２，３を離間させることによって形成される開口１０から、米４０（図３参照）を袋１に入れることができる。米４０を入れた袋１は、底縁部９に仮想線で示す適宜形状の底部シールライン１３，例えば外側シールライン１２と同様なもの、を形成して開口１０を閉じることで、米４０を封入することができる。袋１には、外側シールライン１２の上方に、重なり合う前面部分２と後面部分３とにスリットを入れることによって、一対の指挿入部２１，２２が形成されているから、頂縁部８を把手として使用することができる。そのような袋１は、実用上において伸長することのないフィルムで形成されていることが好ましいもので、米４０であれば２〜１０ｋｇを封入するのに好適なものになる。
【００２２】
図２は、袋１の頂縁部８の拡大図である。図において、内側シールライン１１は、横方向Ｂにおいて間欠的に形成されている内側溶着部３１と、隣り合う内側溶着部３１どうしの間に形成されている内側非溶着部３２とを有する。その内側非溶着部３２には、横方向Ｂに小さな寸法Ｐ１を有する第１内側非溶着部３２ａと、横方向Ｂに大きな寸法Ｐ２を有する第２内側非溶着部３２ｂとが含まれていて、第１，第２内側非溶着部３２ａ，３２ｂのいずれもが袋１の内外に通じる通気路を形成している。内側溶着部３１には、スポット状に形成されていて横方向Ｂにおいて第１内側非溶着部３２ａと交互に並ぶ第１内側溶着部３１ａと、第２内側非溶着部３２ｂそれぞれの両側で互いに向かい合うように形成されている第２内側溶着部３１ｂとが含まれている。第１内側溶着部３１ａは、その形状を格別に規定するものではないが、図示例では面積が比較的小さい矩形に形成されている。第２内側溶着部３１ｂは、図示例において楕円形ないし長円形に形成されているように、第２内側非溶着部３２ｂを挟んで対向するものどうしの周縁部４３のうちで、相手方と向かい合う部分がその相手方に対して凸となる曲線を画いていることが好ましいものである。好ましい第２内側溶着部３１ｂはまた、縦方向Ａにおいて、外側シールライン１２に接近するように第１内側溶着部３１ａよりも長く延びている。
【００２３】
外側シールライン１２は、横方向Ｂにおいて間欠的に形成されている外側溶着部３６と、隣り合う外側溶着部３６どうしの間に形成されている外側非溶着部３７とを有する。外側溶着部３６は、その形状を格別に規定するものではないが、図示例ではほぼ矩形に形成されている。外側非溶着部３７のそれぞれは、横方向Ｂに寸法Ｑを有し、外側シールライン１２において袋１の内外に通じる通気路を形成している。
【００２４】
内側シールライン１１と外側シールライン１２との間では、第１内側溶着部３１ａと外側溶着部３６とが寸法Ｒだけ離間し、第２内側溶着部３１ｂと外側溶着部３６とが寸法Ｓだけ離間している。
【００２５】
かような袋１では、底縁部９に形成される底部シールライン１３が非通気性のものであっても、袋１の内部の空気を第１，第２内側非溶着部３２ａ，３２ｂの少なくとも一方と、外側非溶着部３７とを使って排出することができる。
【００２６】
図３は、透明な袋１に穀類として米４０を入れ、底縁部９に非通気性の底部シールライン１３を形成した場合の図２と同様な図であって、頂縁部８に分布する米４０が透視されている。また、図示の袋１では、第１、第２シールライン１１，１２を明示することができるように、米４０が袋１の横方向Ｂの一方に片寄った状態で示されている。なお、以下の説明では、このように袋１に封入されている米４０が、米粒４０と呼ばれることもある。頂縁部８では、内側シールライン１１の第１内側非溶着部３２ａの寸法Ｐ１が米粒４０の通過を阻止できる大きさ、例えば０．５〜５ｍｍに設定されている。また、第２内側非溶着部３２ｂの寸法Ｐ２は、横方向Ｂへ並ぶ複数の米粒４０が、好ましくは５粒以上の米粒４０が、さらに好ましくは１０粒以上の米粒４０がほぼ同時に通過し得る大きさ、例えば２０〜８０ｍｍに設定されている。また、外側シールライン１２の外側非溶着部３７の寸法Ｑは、米粒４０の通過を阻止できる大きさ、例えば０．５〜５ｍｍに設定されている。さらに、内側シールライン１１と外側シールライン１２との間の離間寸法Ｒは、袋１の内側から第２内側非溶着部３２ｂを通過した米粒４０が第２内側非溶着部３２ｂと外側シールライン１２との間で例えば２０粒程度またはそれ以上の集団４１を形成し得るように、５〜３０ｍｍに設定されている。ただし、離間寸法Ｓは、集団４１を形成している米粒４０が第２内側溶着部３１ｂと外側溶着部３６との間を通って横方向Ｂへ移動し、内側シールライン１１と外側シールライン１２との間に進入することを防ぐために設定される寸法である。その寸法は、離間寸法Ｒと同じであるかまたは離間寸法Ｒよりも小さくて、例えば２〜１０ｍｍに設定することができる。
【００２７】
袋１がこのように形成されていて、内側シールライン１１が米粒４０の集団４１によって図示例の如くに分断された状態にあると、袋１を運搬したり積み上げたりするときに、内側シールライン１１に沿う仮想線３９（図３参照）において袋１が折れ曲がり、袋１が実質的な意味において排気不能にシールされる、ということがない。しかし、袋１がこのようなものではなくて、内側シールライン１１が第１内側溶着部３１ａと第１内側非溶着部３２ａとだけで形成されていて、第２内側非溶着部３２ｂを持たないものであるときには、封入した米粒４０がその内側シールライン１１のすぐ内側に詰まると、頂縁部８は内側シールライン１１に沿う仮想線３９において容易に折れ曲がり、その袋１が排気不能な状態になることがある。こうした状態が生じるのは、袋１の縦方向Ａにおいて、内側シールライン１１よりも上方の部分はプラスチックフィルムだけであって容易に変形するが、内側シールライン１１よりも下方の部分はプラスチックフィルムと米粒４０とが一体になっていて変形することがないからである。この発明では、第２内側非溶着部３２ｂにおいて米粒４０が集団４１を形成することによって、袋１が仮想線３９において折れ曲がることを防いでいる。
【００２８】
袋１は、米粒４０が集団４１を形成したときや、袋１を頂縁部８が下になり底縁部９が上になるように持ったときに、第２内側非溶着部３２ｂ近傍における前面部２と後面部３とに袋１の内部から高い圧力が作用しても、第２内側溶着部３１ｂの周縁部４３から前面部２と後面部３とが剥がれたり破れたりすることのないものでなければならない。そのために、第２内側溶着部３１ｂは、第２内側非溶着部３２ｂを介して向かい合う相手方の第２内側溶着部３１ｂとの間において、周縁部４３がその相手方に対して凸となる曲線を画いていることが好ましい。第２内側溶着部３１ｂは、そのような周縁部４３を持つことにより、米粒４０によって作用する第２内側非溶着部３２ｂを横方向Ｂへ広げようとする力を周縁部４３の広い範囲に分散させるので、周縁部４３における剥がれや破れを防ぐことができる。
【００２９】
袋１において、寸法Ｐ１を有する第１内側非溶着部３２ａや寸法Ｐ２を有する第２内側非溶着部３２ｂ、寸法Ｑを有する外側非溶着部３７、寸法Ｓを有する第２内側溶着部３１ｂと外側溶着部３６との間の部分で米粒４０が前面部２と後面部３との間を通過し得るか否かは、図２に示されたこれらの平面的な寸法Ｐ１，Ｐ２，Ｑ，Ｓのみでは決まらない。袋１の前面部２と後面部３とが非伸長性のフィルムで形成されているときに、第１内側非溶着部３２ａ等の非溶着部における前面部２と後面部３との変形の程度は、非溶着部の近傍に形成されている溶着部の影響を受けるからである。したがって、この発明において例示した寸法Ｐ１，Ｐ２，Ｑ，Ｓの値は目安を示すものであって、実際に採用する値は袋１における第１，第２内側溶着部３１ａ，３１ｂや外側溶着部３６の具体的な配置、フィルムのこわさ、フィルムが非伸長性であるか否か等の条件に基づいて決められることが好ましい。この発明において、米粒４０が前面部２と後面部３との間を通過するというときには、所要量の米粒４０が封入されている袋１について想定される通常の取り扱い過程において、平均的な粒径を有する米粒４０が通過することを意味しているのであって、平均的な粒径を有している米粒４０に異常な力を加えると通過するということまでをも意味しているわけではない。また、袋１の中に混在している平均的な粒径よりもはるかに小さい粒径の米粒４０が通過することまでをも意味しているわけではない。
【００３０】
袋１の内側シールライン１１と外側シールライン１２とが図示例の如き形状である場合、第１内側溶着部３１ａや外側溶着部３６の縦方向Ａの寸法は例えば１〜５ｍｍ程度、横方向Ｂの寸法は例えば１〜１０ｍｍ程度に設定することができる。第２内側溶着部３１ｂの縦方向Ａの寸法は、離間寸法Ｓが離間寸法Ｒと同じであるかまたは離間寸法Ｒよりも小さくて２〜１０ｍｍとなるように調整することが好ましい。袋１の容量が小さくてしかも内側シールライン１１と外側シールライン１２とが比較的接近した状態にあって離間寸法Ｒが小さい場合には、離間寸法Ｓを離間寸法Ｒと同じ値にすることが可能であるが、そのような場合においても、横方向Ｂにおいて互いに対向する第２内側溶着部３１ｂの周縁部４３は、相手方となる第２内側溶着部３１ｂに向かって凸となる曲線を画いていることが好ましい。図示例の溶着部３１ａ，３１ｂ，３６は、重ね合わせた前面部２と後面部３とを加熱下に加圧処理することによって得ることもできれば、超音波で溶着処理することによっても得ることができる。
【００３１】
図４は、この発明の実施形態の一例を示す図２と同様な図を部分的に破断して示すものである。内側シールライン１１において仮想線で示された第２内側溶着部３１ｂは、実線で示された第２内側溶着部３１ｂと外側溶着部３６との離間寸法Ｓをさらに小さくしたいときに採用されるものを例示している。また、第２内側溶着部３１ｂと外側溶着部３６との間に形成されている中間溶着部４５は、楕円形の第２内側溶着部３１ｂや仮想線の第２内側溶着部３１ｂに代えて離間寸法Ｓを調整するために採用されたものの例示である。中間溶着部４５を採用する場合には、第２内側溶着部３１ｂの形状を第１内側溶着部３１ａの形状と同じにすることができる。外側シールライン１２では、隣り合う外側溶着部３６が縦方向Ａへずれた状態で形成されている。このような外側シールライン１２では、米粒４０の通過を阻止しながら袋１における通気路を拡大して、袋１の排気を容易にするという効果が得られる。袋１はまた、指挿入部２１，２２の上方に、通気性の追加のシールライン４６を有している。追加のシールライン４６は、重なり合う前面部２と後面部３と補強シート片４７とを一体的に接合するために使用されている。指挿入部２１，２２は、その周囲が後面部３に重なる矩形のシート片４７によって補強されていて、そのシート片４７が追加のシールライン４６の他に外側シールライン１２においても後面部３に接合している。
【００３２】
この発明は、指挿入部２１，２２を形成することなく実施することもできる。一方、指挿入部２１，２２を形成する場合には、頂縁部８はその分だけ大きくなって折れ曲がり易くなるのであるが、外側シールライン１２を図示例の如く内側シールライン１１と指挿入部２１，２２との間に形成することによって、そのような頂縁部８でも通気性のよいものにすることができる。そのときに、外側シールライン１２と内側シールライン１１との離間寸法Ｒを１０〜３０ｍｍ程度にしておくならば、外側シールライン１２の形成によって袋１が徒に大きくなるということもない。米４０を例にとって説明した袋１は、その他の穀類を封入するためのものとして使用することができる。そのための袋１の各部の寸法は、封入するものに応じて定めることができる。
【産業上の利用可能性】
【００３３】
この発明によれば、穀類を封入するための通気性のよい袋の製造が可能になる。
【図面の簡単な説明】
【００３４】
【図１】袋の部分破断平面図。
【図２】袋の部分拡大図。
【図３】米が封入された袋の図２と同様な図。
【図４】実施形態の一例を示す図２と同様な図。
【符号の説明】
【００３５】
１    袋
６    側縁部
７    側縁部
８    端縁部（頂縁部）
９    端縁部（底縁部）
１１    内側シールライン
１２    外側シールライン
２１    指挿入部
２２    指挿入部
３１    内側溶着部
３１ａ    第１内側溶着部
３１ｂ    第２内側溶着部
３２    非溶着部
３２ａ  第１非溶着部
３２ｂ  第２非溶着部
３６    外側溶着部
３７    外側非溶着部
４０    穀類
４３    周縁部
Ａ    縦方向
Ｂ    横方向
Ｒ    離間寸法
【要約】
【課題】穀類を封入した後の取り扱い過程で通気性を損なうことのない通気性の袋。
【解決手段】穀類封入用の通気性の袋１が熱可塑性合成樹脂フィルムによって形成される。袋１の端縁部８には、互いに平行して横方向Ｂへ延びる内側シールライン１１と外側シールライン１２とが形成される。内側シールライン１１は、横方向Ｂにおいて間欠的に形成されている内側溶着部３１と、内側溶着部３１どうしの間に形成される通気性の内側非溶着部３２とを含む。内側非溶着部３２は、封入された穀類の通過を阻止する第１内側非溶着部３２ａと、穀類の通過を可能にする第２内側非溶着部３２ｂとを含む。外側シールライン１２は、内側シールライン１１より外側にあるもので、横方向Ｂにおいて間欠的に形成されている外側溶着部３６と、外側溶着部３６どうしの間に形成されている通気性であって穀類の通過を阻止する外側非溶着部３７とを含む。
【選択図】図２【図１】
0004145950.tif 000002
【図２】
0004145950.tif 000003
【図３】
0004145950.tif 000004
【図４】
0004145950.tif 000005